(57)【特許請求の範囲】
【請求項１】
（Ａ）３〜１２質量パーセントのＨＦＯ−１２３４ｙｆと、
７０．５〜７４．５質量パーセントのＨＦＣ−３２と、
１５．５〜２４．５質量パーセントのトランス−ＨＦＯ−１２３４ｚｅと
から本質的になる、空調におけるＲ４１０Ａの代替品として使用するために適切な冷媒成分、
ならびに任意選択で
（Ｂ）非冷媒成分
からなる組成物。
【請求項２】
（Ａ）３〜１２質量パーセントのＨＦＯ−１２３４ｙｆと、
６８〜７４．５質量パーセントのＨＦＣ−３２と、
１５．５〜２４．５質量パーセントのトランス−ＨＦＯ−１２３４ｚｅと
から本質的になる、空調におけるＲ４１０Ａの代替品として使用するために適切な冷媒成分、
ならびに任意選択で
（Ｂ）非冷媒成分
からなる組成物。
【請求項３】
請求項１または２に記載の組成物の冷媒成分を凝縮させ、その後、冷却すべき本体の近くで冷媒成分を蒸発させることを含む、Ｒ４１０Ａを冷媒として使用するのに適した空調設備において冷却をもたらすための方法。
【請求項４】
冷媒組成物を含有し、そしてＲ４１０Ａが冷媒成分である冷媒組成物を使用するのに適した空調装置であって、−５℃〜２０℃の間の冷媒蒸発温度のために設計された蒸発器を含み、請求項１または２に記載の組成物を含有することを特徴とする、上記空調装置。
【発明の詳細な説明】
【技術分野】
【０００１】
本開示は冷凍システムで使用するための組成物に関し、本組成物は、テトラフルオロプロペンおよびジフルオロメタンを含む。本発明の組成物は、冷却をもたらすための方法、冷媒を置換するための方法、ならびに空調およびヒートポンプ装置において有用である。
【背景技術】
【０００２】
冷凍産業では、過去数十年の間、モントリオール議定書（Ｍｏｎｔｒｅａｌ  Ｐｒｏｔｏｃｏｌ）の結果として段階的に廃止されつつある、オゾン層を破壊するクロロフルオロカーボン（ＣＦＣ）およびハイドロクロロフルオロカーボン（ＨＣＦＣ）の代替冷媒を見出す努力がなされてきた。ほとんどの冷媒製造業者にとっての解決法は、ハイドロフルオロカーボン（ＨＦＣ）冷媒の商業化であった。現時点で最も広く使用されている新しいＨＦＣ冷媒のＨＦＣ−１３４ａはオゾン層破壊係数がゼロであり、従って、モントリオール議定書の結果としての現規制の段階的廃止による影響を受けない。
【０００３】
さらなる環境規制により、最終的には、特定のＨＦＣ冷媒の世界的な段階的廃止へと至り得る。現在、産業界は、移動空調で使用される冷媒についての地球温暖化係数（ＧＷＰ）に関する規制に直面している。将来的に規制がより広く適用されれば、例えば固定空調および冷凍システムでは、冷凍および空調産業の全ての分野で使用することができる冷媒に対してさらにより大きい必要性が感じられるであろう。ＧＷＰに関連する最終的な規制要件についての不確実性によって、産業界は、複数の候補化合物および混合物を考慮することを強いられている。
【０００４】
これまで提案されたＨＦＣ冷媒および冷媒ブレンドの代替冷媒としては、ＨＦＣ−１５２ａ、純粋な炭化水素（例えば、ブタンまたはプロパンなど）、または「天然」冷媒（例えば、ＣＯ２など）が挙げられる。これらの提案された代替品のそれぞれは毒性、引火性、低エネルギー効率を含む問題を有するか、あるいは大きな装置設計の変更を必要とする。また、とりわけＨＣＦＣ−２２、Ｒ−１３４ａ、Ｒ−４０４Ａ、Ｒ−５０７Ａ、Ｒ−４０７ＣおよびＲ−４１０Ａに対して、新しい代替品も提案されている。ＧＷＰに関連して最終的にどんな規制要件が採用されるかについての不確実性によって、産業界は、低ＧＷＰ、４００ｐｐｍを超えるＯＥＬ、非引火性に対する必要性と現存のシステム性能パラメータとのバランスをとる複数の候補化合物および混合物を考慮することを強いられている。
【発明の概要】
【発明が解決しようとする課題】
【０００５】
特に、配合時および漏出後の両方において４００ｐｐｍを超えるＯＥＬを有する冷媒が必要とされている。
【課題を解決するための手段】
【０００６】
テトラフルオロプロペンおよびジフルオロメタンを含む特定の組成物は、現在使用されているＧＷＰのより高い冷媒、特にＲ４１０Ａの代替品としてのその使用を可能にするのに適した特性を有することが見出された。特に、本発明は、配合時および漏出後の両方において４００ｐｐｍを超えるＯＥＬを有する冷媒を同定した。
【０００７】
本発明によると、組成物が開示される。本組成物は、（Ａ）（１）４００未満のＯＥＬを有する少なくとも１つの冷媒と、（２）（ｉ）ＨＦＣ−３２および（ｉｉ）トランス−ＨＦＯ−１２３４ｚｅから本質的になり、それぞれが４００を超えるＯＥＬを有する冷媒の組み合わせとから本質的になる冷媒成分、ならびに任意選択で（Ｂ）非冷媒成分からなり、冷媒成分の成分（Ａ）（２）は、少なくとも４００である冷媒成分の総ＯＥＬを提供するのに十分な量で存在する。
【０００８】
冷媒成分の冷媒混合物は、非冷媒成分（例えば、潤滑剤）も含有する組成物中の成分として、冷凍をもたらすための方法において、冷媒Ｒ−４１０Ａを置換するための方法において、そして空調およびヒートポンプ装置において有用である。
【図面の簡単な説明】
【０００９】
【図１】特許請求される組成物の範囲の一実施形態および特定の他の既知のデータ点のプロットである。三角形の各頂点は、表示される成分、ＨＦＯ−１２３４ｙｆ、ＨＦＣ−３２およびトランス−ＨＦＯ−１２３４ｚｅの１００％に相当する。
【発明を実施するための形態】
【００１０】
以下に記載される実施形態の詳細に取り組む前に、いくつかの用語が定義される、または明確にされる。
【００１１】
定義
本明細書で使用される場合、伝熱流体という用語は、熱源からヒートシンクへ熱を運ぶために使用される組成物を意味する。
【００１２】
熱源は、熱を加える、伝達する、移動する、あるいは除去することが望ましい任意の空間、場所、物体または本体であると定義される。熱源の例は、スーパーマーケットにおける冷蔵庫または冷凍庫ケースなどの冷凍または冷却を必要とする空間（開放または閉鎖）、空調を必要とする建物空間、工業用ウォーターチラー、または空調を必要とする自動車の乗員室である。いくつかの実施形態では、伝熱組成物は、伝熱過程を通して一定状態のままであり得る（すなわち、蒸発または凝縮しない）。その他の実施形態では、伝熱組成物は蒸発冷却過程で同様に利用され得る。
【００１３】
ヒートシンクは、熱を吸収することができる任意の空間、場所、物体または本体であると定義される。蒸気圧縮冷凍システムは、このようなヒートシンクの一例である。
【００１４】
冷媒は、熱の伝達のために使用されるサイクルの間に、液体から気体へ、そして気体から液体への相変化を受ける伝熱流体であると定義される。
【００１５】
伝熱システムは、特定の空間において加熱または冷却を生じるために使用されるシステム（または装置）である。伝熱システムは、移動システムでも固定システムでもよい。
【００１６】
伝熱システムの例はあらゆるタイプの冷凍システムおよび空調システムであり、空調装置、冷凍庫、冷蔵庫、ヒートポンプ、ウォーターチラー、満液式蒸発器（ｆｌｏｏｄｅｄ  ｅｖａｐｏｒａｔｏｒ）冷却装置、直接膨張（ｄｉｒｅｃｔ  ｅｘｐａｎｓｉｏｎ）冷却装置、ウォークインクーラー、移動冷蔵庫、移動空調ユニット、除湿機、およびこれらの組み合わせが含まれるが、これらに限定されない。
【００１７】
本明細書で使用される場合、移動伝熱システムは、道路、鉄道、海また空用の輸送ユニット内に組み込まれた任意の冷凍、空調、または加熱装置を指す。さらに、移動冷凍または空調ユニットは、どの移動キャリアからも独立した「共同一貫輸送」システムとして知られる装置を含む。このような共同一貫輸送システムには、「コンテナ」（海上／陸上輸送の組み合わせ）および「スワップボディ」（道路／鉄道輸送の組み合わせ）が含まれる。
【００１８】
本明細書で使用される場合、固定伝熱システムは、運転中、定位置に固定されるシステムである。固定伝熱システムは様々な建物内に結合されてもよいし、建物に取り付けられてもよく、あるいはソフトドリンクの自動販売機などのように屋外に配置された独立型の装置であってもよい。これらの固定用途は固定空調およびヒートポンプであってもよく、冷却装置、高温ヒートポンプ、住宅用、商業用または工業用の空調システム（住宅用ヒートポンプを含む）が含まれるがこれらに限定されず、そしてウィンドウ型、ダクトレス型、ダクト型、パッケージドターミナル型、およびルーフトップシステムなどの屋外用であるが建物に接続されたものが含まれる。固定冷凍用途では、開示される組成物は、商業用、工業用または住宅用の冷蔵庫および冷凍庫、製氷機、内蔵型クーラーおよび冷凍庫、満液式蒸発器冷却装置、直接膨張冷却装置、ウォークインおよびリーチイン（ｒｅａｃｈ−ｉｎ）クーラーおよび冷凍庫、ならびに組み合わせシステムを含む装置において有用であり得る。いくつかの実施形態では、開示される組成物は、スーパーマーケットの冷凍システムにおいて使用することができる。さらに、固定用途は二次ループシステムを用いることができ、これは、一次冷媒を用いてある場所で冷却を生じ、これを二次伝熱流体を介して離れた場所に伝達する。
【００１９】
冷凍容量（冷却容量と称されることもある）は、循環される冷媒１ポンド当たりの蒸発器内の冷媒のエンタルピーの変化、または蒸発器から出る冷媒蒸気の単位量（容積）当たりの蒸発器内の冷媒によって除去される熱を定義する用語である。冷凍容量は、冷媒または伝熱組成物が冷却をもたらす能力の尺度である。従って、この容量が高いほど、得られる冷却は大きい。冷却速度は、単位時間当たりの蒸発器内の冷媒（または冷媒混合物）によって除去される熱を指す。
【００２０】
性能係数（ＣＯＰ）は、除去された熱の量を、サイクルを運転するために必要とされるエネルギー入力で割ったものである。ＣＯＰが高いほど、エネルギー効率は高い。ＣＯＰは、エネルギー効率比（ＥＥＲ）、すなわち、特定の内部および外部温度セットにおける冷凍または空調装置に対する効率評価に直接関連する。
【００２１】
「過冷却（ｓｕｂｃｏｏｌｉｎｇ）」という用語は、液体の温度を、所与の圧力に対するその液体の飽和点よりも低い温度まで低下させることを指す。飽和点は蒸気が完全に液体に凝縮する温度であるが、過冷却は、液体を、所与の圧力でより低い温度の液体に冷却し続ける。液体を飽和温度（または泡立ち点温度）よりも低い温度まで冷却することによって、正味の冷凍容量を増大させることができる。過冷却は、それにより、システムの冷凍容量およびエネルギー効率を改善する。過冷却量は、飽和温度よりも下方への冷却の量（度）である。
【００２２】
過熱は、蒸気組成物がその飽和蒸気温度（組成物が冷却されたときに、液体の最初の一滴が形成される温度であり、「露点」と呼ばれることもある）よりもどの程度高温まで加熱されるかを定義する用語である。
【００２３】
温度勾配（ｔｅｍｐｅｒａｔｕｒｅ  ｇｌｉｄｅ）（単に「勾配」と称されることもある）は、過冷却または過熱を除いて、冷媒システムの構成要素内の冷媒による相変化過程の開始温度と終了温度との差の絶対値である。この用語は、近共沸または非共沸組成物の凝縮または蒸発を説明するために使用され得る。冷凍、空調またはヒートポンプシステムの温度勾配に言及する場合、蒸発器内の温度勾配および凝縮器内の温度勾配の平均である平均温度勾配を示すことが多い。
【００２４】
共沸組成物とは、単一の物質として挙動する２つ以上の物質の定沸点混合物を意味する。共沸組成物を特徴付ける１つの方法は、液体の部分蒸発または蒸留によって生じる蒸気が、それが蒸発または蒸留される液体と同じ組成を有する、すなわち、混合物が組成の変化を伴わずに蒸留／還流されることである。定沸点組成物は、同じ化合物の非共沸混合物と比べて最高沸点または最低沸点のいずれかを示すので、共沸性と特徴付けられる。共沸組成物は、運転中に冷凍または空調システム内で分画しないであろう。さらに、共沸組成物は、冷凍または空調システムからの漏出時に分画しないであろう。
【００２５】
共沸混合物様組成物（一般に「近共沸組成物」とも称される）は、本質的に単一の物質として挙動する２つ以上の物質の実質的に定沸点の液体混合物である。共沸混合物様組成物を特徴付ける１つの方法は、液体の部分蒸発または蒸留によって生じる蒸気が、それが蒸発または蒸留された液体と実質的に同じ組成を有する、すなわち、混合物が実質的な組成の変化を伴わずに蒸留／還流することである。共沸混合物様組成物を特徴付けるもう１つの方法は、特定の温度における組成物の泡立ち点蒸気圧および露点蒸気圧が実質的に同一であることである。本明細書では、蒸発または沸騰除去などによって組成物の５０質量パーセントが除去された後、元の組成物と、元の組成物の５０質量パーセントが除去された後に残存する組成物との間の蒸気圧の差が約１０パーセント未満であれば、組成物は共沸混合物様である。
【００２６】
非共沸（ｎｏｎ−ａｚｅｏｔｒｏｐｉｃ）（非共沸（ｚｅｏｔｒｏｐｉｃ）と称されることもある）組成物は、単一の物質というよりはむしろ単純な混合物として挙動する２つ以上の物質の混合物である。非共沸組成物を特徴付ける１つの方法は、液体の部分蒸発または蒸留によって生じる蒸気が、それが蒸発または蒸留される液体と実質的に異なる組成を有する、すなわち、混合物が実質的な組成の変化を伴って蒸留／還流されることである。非共沸組成物を特徴付けるもう１つの方法は、特定の温度における組成物の泡立ち点蒸気圧および露点蒸気圧が実質的に異なることである。本明細書では、蒸発または沸騰除去などによって組成物の５０質量パーセントが除去された後、元の組成物と、元の組成物の５０質量パーセントが除去された後に残存する組成物との間の蒸気圧の差が約１０パーセントよりも大きければ、組成物は非共沸性である。
【００２７】
本明細書で使用される場合、「潤滑剤」という用語は、組成物または圧縮器に添加されて（そして、任意の伝熱システム内での使用において任意の伝熱組成物と接触されて）、圧縮器に潤滑を提供して部品が動かなくならないようにする助けになるあらゆる材料を意味する。
【００２８】
本明細書で使用される場合、相溶化剤は、伝熱システムの潤滑剤中における、開示される組成物のハイドロフルオロカーボンの溶解度を改善する化合物である。いくつかの実施形態では、相溶化剤は、圧縮器への油戻り（ｏｉｌ  ｒｅｔｕｒｎ）を改善する。いくつかの実施形態では、組成物はシステム潤滑剤と共に使用されて、油を多く含む相の粘度を低下させる。
【００２９】
本明細書で使用される場合、油戻りは、伝熱組成物が伝熱システムを通って潤滑剤を運び、そしてそれを圧縮器に戻す能力を指す。すなわち、使用の際、圧縮器潤滑剤の一部が伝熱組成物によって圧縮器からシステムの他の部分へ運び去られることは珍しくない。このようなシステムでは、潤滑剤が圧縮器に効率良く戻されないと、圧縮器は、最終的には、潤滑の欠如のために動かなくなるであろう。
【００３０】
本明細書で使用される場合、「紫外線」色素は、電磁スペクトルの紫外または「近」紫外領域で光を吸収するＵＶ蛍光またはリン光組成物であると定義される。１０ナノメートル〜約７７５ナノメートルの範囲の波長を有する少なくともある程度の放射を放出するＵＶ光による照射下において、ＵＶ蛍光色素によって生じる蛍光が検出され得る。
【００３１】
引火性は、組成物が発火するおよび／または火炎を伝播させる能力を意味するために使用される用語である。冷媒および他の伝熱組成物について、引火下限（「ＬＦＬ」）は、ＡＳＴＭ（米国材料試験協会）Ｅ６８１−０４において規定される試験条件下で、組成物および空気の均一な混合によって火炎を伝播させることができる伝熱組成物の空気中の最低濃度である。引火上限（「ＵＦＬ」）は、同じ試験条件下で、組成物および空気の均一な混合によって火炎を伝播させることができる伝熱組成物の空気中の最高濃度である。ＡＳＨＲＡＥ（Ａｍｅｒｉｃａｎ  Ｓｏｃｉｅｔｙ  ｏｆ  Ｈｅａｔｉｎｇ，Ｒｅｆｒｉｇｅｒａｔｉｎｇ  ａｎｄ  Ａｉｒ−Ｃｏｎｄｉｔｉｏｎｉｎｇ  Ｅｎｇｉｎｅｅｒｓ）によって非引火性であると分類されるためには、冷媒は、液相および気相で配合される際にＡＳＴＭ  Ｅ６８１−０４の条件下で非引火性であり、そして漏出シナリオの間に生じる液相および蒸気相の両方で非引火性でなければならない。
【００３２】
またＡＳＨＲＡＥは、１０ｃｍ／秒よりも低い燃焼速度を有する組成物に対して、「より低引火性」等級の２Ｌクラスの引火性を割り当てる。燃焼速度は、Ｒ−３２またはＲ−１５２ａの既知の燃焼速度との比較によって推定することができる。
【００３３】
地球温暖化係数（ＧＷＰ）は、二酸化炭素１キログラムの放出と比較して、特定の温室ガス１キログラムの大気中への放出による相対的な地球温暖化寄与を評価するための指数である。ＧＷＰは、異なる対象期間に対して計算することができ、所与のガスについての大気寿命の効果を示す。１００年の対象期間に対するＧＷＰは、一般的に参照される値である。混合物については、各成分の個々のＧＷＰに基づいて、加重平均を計算することができる。
【００３４】
オゾン層破壊係数（ＯＤＰ）は、物質によって引き起こされるオゾン層破壊の量を指す数である。ＯＤＰは、化学物質のオゾンに対する影響を、同様の質量のＣＦＣ−１１（フルオロトリクロロメタン）の影響と比較した比率である。従って、ＣＦＣ−１１のＯＤＰは、１．０であると定義される。その他のＣＦＣおよびＨＣＦＣは、０．０１〜１．０の範囲のＯＤＰを有する。ＨＦＣは塩素を含有しないので、ゼロのＯＤＰを有する。
【００３５】
職業暴露限界（ｏｃｃｕｐａｔｉｏｎａｌ  ｅｘｐｏｓｕｒｅ  ｌｉｍｉｔ）（ＯＥＬ）は、特定の材料または材料の種類について、作業場の空気中の物質の許容濃度の上限である。物質のＯＥＬは、健康に悪影響を与えることなく作業生活の期間中、週に５日間、１日８時間の作業に対して許容できる暴露を示す。４００ｐｐｍ以上のＯＥＬを有する冷媒は、ＡＳＨＲＡＥによって、より低い毒性度を示すＡクラス冷媒であると分類される。４００ｐｐｍ未満のＯＥＬを有する冷媒は、ＡＳＨＲＡＥによって、より高い毒性度を示すＢクラス冷媒であると分類される。他の業界では、ＴＬＶ−ＴＷＡ（限界値−時間荷重平均（Ｔｈｒｅｓｈｏｌｄ  Ｌｉｍｉｔ  Ｖａｌｕｅ−Ｔｉｍｅ  Ｗｅｉｇｈｔｅｄ  Ａｖｅｒａｇｅ））、ＷＥＥＬ（作業環境暴露限界（Ｗｏｒｋｐｌａｃｅ  Ｅｎｖｉｒｏｎｍｅｎｔａｌ  Ｅｘｐｏｓｕｒｅ  Ｌｉｍｉｔ））およびＰＥＬ（許容暴露限界（Ｐｅｒｍｉｓｓｉｂｌｅ  Ｅｘｐｏｓｕｒｅ  Ｌｉｍｉｔ））を含む、異なる用語が使用される。混合物のＯＥＬは、個々の成分のモル分率（ｍｆ）をそのそれぞれのＯＥＬで除した値の逆数加算（ｒｅｃｉｐｒｏｃａｌ  ａｄｄｉｔｉｏｎ）である。方程式は、
１／（ｍｆ１／ＯＥＬ１＋ｍｆ２／ＯＥＬ２＋．．．＋ｍｆｎ／ＯＥＬｎ）
であり、式中、ｍｆｎは成分「ｎ」のモル分率であり、ＯＥＬｎは成分「ｎ」のＯＥＬである。
【００３６】
ＡＳＨＲＡＥによってより低毒性等級のＡクラスに分類されるためには、冷媒配合物は、最初に配合されたときと漏出した場合の両方において４００を超えるＯＥＬを有さなければならない。ＡＳＨＲＡＥ標準３４−２０１０に従って、公称配合物が開発され、そして製造許容差が割り当てられる（商業的実施では精密な配合物は作られないので）。これらの許容差の範囲内で、個々の成分のＯＥＬに基づいて最も毒性であり得る配合物を表すように最悪ケースの配合物（Ｗｏｒｓｔ  Ｃａｓｅ  Ｆｏｒｍｕｌａｔｉｏｎ）（ＷＣＦ）が選択される。ＷＣＦに対する変化は、いくつかの条件（例えば、シリンダが質量により９０％まで満たされ、標準に従って、ＷＣＦの泡立ち点温度＋１０℃または−４０℃のいずれか高い温度において漏出される）における蒸気漏出に対して決定される。いくつかの他のシナリオが記載されており、最悪ケースのＷＣＦＦを与えるシナリオが分析において使用される。蒸気漏出条件は配合物が大気圧に到達するまで継続され、最悪ケースの分画配合物（Ｗｏｒｓｔ  Ｃａｓｅ  Ｆｒａｃｔｉｏｎａｔｅｄ  Ｆｏｒｍｕｌａｔｉｏｎ）（ＷＣＦＦ）が決定され、最低のＯＥＬを有することが予想される残留液体または蒸気組成物が示される。配合時およびＷＣＦＦ組成物のＯＥＬが４００ｐｐｍよりも高ければ、Ａクラスのより低毒性の冷媒組成物であると考えられる。配合時またはＷＣＦＦ組成物のいずれかのＯＥＬが４００ｐｐｍよりも低ければ、Ｂクラスのより高毒性の冷媒組成物であると考えられる。
【００３７】
本明細書で使用される場合、「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語、またはこれらのあらゆる他の変形は、非排他的な包含を網羅することが意図される。例えば、要素のリストを含む組成物、過程、方法、物品、または装置は、必ずしもこれらの要素のみに限定されず、明確に記載されていないか、あるいはこのような組成物、過程、方法、物品、または装置に固有のその他の要素を含んでいてもよい。さらに、反対する明確な記載がない限り、「または」は包括的な「または」を指し、排他的な「または」を指さない。例えば、条件ＡまたはＢは、以下のいずれか１つによって満たされる：Ａが真であり（または存在し）かつＢが偽である（または存在しない）、Ａが偽であり（または存在せず）かつＢが真である（または存在する）、ならびにＡおよびＢの両方が真である（または存在する）。
【００３８】
「からなる（ｃｏｎｓｉｓｔｉｎｇ  ｏｆ）」という移行句は、規定されていないあらゆる要素、工程または成分を排除する。このような句が請求項内にあれば、普通に伴われる不純物を除いて、列挙された以外の材料の包含に対して、この請求項はクローズされるであろう。「からなる（ｃｏｎｓｉｓｔｉｎｇ  ｏｆ）」という句が、序文の直後ではなく請求項の本文に現れる場合、その本文に示される要素を限定するだけであり、その他の要素は全体として請求項から排除されない。
【００３９】
「から本質的になる（ｃｏｎｓｉｓｔｉｎｇ  ｅｓｓｅｎｔｉａｌｌｙ  ｏｆ）」という移行句は、文字通りに開示されたものに加えて、材料、行程、特徴、成分、または要素を含む組成物、方法または装置を定義するために使用されるが、ただし、これらの付加的に含まれる材料、行程、特徴、成分、または要素は、特許請求された発明の基本的および新規の特徴に実質的に影響を与えることを条件とする。「から本質的になる（ｃｏｎｓｉｓｔｉｎｇ  ｅｓｓｅｎｔｉａｌｌｙ  ｏｆ）」という用語は、「含む（ｃｏｍｐｒｉｓｉｎｇ）」と「からなる（ｃｏｎｓｉｓｔｉｎｇ  ｏｆ）」との間の中間の立場をとる。通常、冷媒混合物の成分および冷媒混合物自体は、冷媒混合物の新規のおよび基本的な特徴に実質的に影響を与えない少量（例えば、全部で約０．５質量パーセント未満）の不純物および／または副産物（例えば、冷媒成分の製造からの、または他のシステムからの冷媒成分の再生利用からの）を含有し得る。例えば、ＨＦＣ−１３４ａは、ＨＦＣ−１３４ａの製造からの副産物として少量のＨＦＣ−１３４を含有し得る。本発明に関連して特に注目すべきはトランス−ＨＦＯ−１２３４ｚｅであり、これは、ＨＦＯ−１２３４ｙｆを製造するための特定の方法の副産物であり得る（例えば、米国特許出願公開第２００９／０２７８０７５号明細書を参照）。しかしながら、その存在が冷媒混合物の新規のおよび基本的な特徴に実質的に影響を与えても与えなくても（単独で、あるいはそれ自体は冷媒混合物の新規のおよび基本的な特徴に実質的に影響を与えないであろう他の不純物および／または副産物と一緒に）、本発明の特定の実施形態は、別箇の成分としてトランス−ＨＦＯ−１２３４ｚｅを列挙することによってトランス−ＨＦＯ−１２３４ｚｅを含むことが注目される。
【００４０】
出願人が「含む（ｃｏｍｐｒｉｓｉｎｇ）」などの制約のない用語で発明またはその一部を定義した場合、その説明は（他に記載されない限り）、「から本質的になる（ｃｏｎｓｉｓｔｉｎｇ  ｅｓｓｅｎｔｉａｌｌｙ  ｏｆ）」または「からなる（ｃｏｎｓｉｓｔｉｎｇ  ｏｆ）」という用語を用いて同様にこのような発明を説明すると解釈されるべきであることは、容易に理解されるはずである。
【００４１】
また、「ａ」または「ａｎ」の使用は、本明細書に記載される要素および成分を説明するために用いられる。これは、単に便宜上、そして本発明の範囲の一般的な意味を与えるために行われる。この説明は、１つまたは少なくとも１つを含むと解釈されるべきであり、そしてそうでないことを意味することが明白でない限り、単数は複数も含む。
【００４２】
他に定義されない限り、本明細書で使用される全ての技術的および科学的用語は本発明が属する技術分野の当業者によって一般に理解されるものと同じ意味を有する。本明細書に記載されるものと類似または等価の方法および材料は、開示される組成物の実施形態の実施または試験において使用することができるが、適切な方法および材料は以下に記載される。本明細書において言及される全ての刊行物、特許出願、特許、および他の参考文献は、特定の一節が引用されない限り、参照によってその全体が援用される。矛盾する場合には、定義を含めて本明細書が支配するであろう。さらに、材料、方法、および実施例は単に例示的であって、限定的であることは意図されない。
【００４３】
２，３，３，３−テトラフルオロプロペンは、ＨＦＯ−１２３４ｙｆ、ＨＦＣ−１２３４ｙｆ、またはＲ１２３４ｙｆと呼ばれることもある。ＨＦＯ−１２３４ｙｆは、１，１，１，２，３−ペンタフルオロプロパン（ＨＦＣ−２４５ｅｂ）または１，１，１，２，２−ペンタフルオロプロパン（ＨＦＣ−２４５ｃｂ）の脱フッ化水素化（ｄｅｈｙｄｒｏｆｌｕｏｒｉｎａｔｉｏｎ）などの当該技術分野において既知の方法によって製造することができる。
【００４４】
ジフルオロメタン（ＨＦＣ−３２またはＲ−３２）は市販されているか、あるいは塩化メチレンの脱塩素フッ素化（ｄｅｃｈｌｏｒｏｆｌｕｏｒｉｎａｔｉｏｎ）などの当該技術分野において既知の方法によって製造することができる。
【００４５】
１，３，３，３−テトラフルオロプロペン（トランス−ＨＦＯ−１２３４ｚｅ）は、１，１，１，２，３−ペンタフルオロプロパン（ＨＦＣ−２４５ｅｂ、ＣＦ３ＣＨＦＣＨ２Ｆ）または１，１，１，３，３−ペンタフルオロプロパン（ＨＦＣ−２４５ｆａ、ＣＦ３ＣＨ２ＣＨＦ２）の脱フッ化水素化によって調製され得る。脱フッ化水素化反応は、触媒の存在下または非存在下、蒸気相中で生じてもよく、ＮａＯＨまたはＫＯＨなどの苛性剤との反応によって液相中で生じてもよい。これらの反応は、参照によって本明細書中に援用される米国特許出願公開第２００６／０１０６２６３号明細書においてより詳細に記載されている。ＨＦＯ−１２３４ｚｅは、２つの構造異性体シス−またはトランス−（それぞれ、Ｅ−およびＺ−異性体とも呼ばれる）のうちの１つとして存在し得る。トランス−ＨＦＯ−１２３４ｚｅは、特定のフルオロカーボン製造業者（例えば、Ｈｏｎｅｙｗｅｌｌ  Ｉｎｔｅｒｎａｔｉｏｎａｌ  Ｉｎｃ．，Ｍｏｒｒｉｓｔｏｗｎ，ＮＪ）から市販されている。
【００４６】
組成物
（Ａ）（１）４００未満のＯＥＬを有する少なくとも１つの冷媒と、（２）（ｉ）ＨＦＣ−３２および（ｉｉ）トランス−ＨＦＯ−１２３４ｚｅから本質的になり、それぞれが４００を超えるＯＥＬを有する冷媒の組み合わせとから本質的になる冷媒成分、ならびに任意選択で（Ｂ）非冷媒成分からなる組成物が開示されており、冷媒成分の成分（Ａ）（２）は、少なくとも４００である冷媒成分の総ＯＥＬを提供するのに十分な量で存在する。
【００４７】
一実施形態では、冷媒成分の最悪ケースの分画配合物（ＷＣＦＦ）は、少なくとも４００である総ＯＥＬを有する。
【００４８】
一実施形態では、冷媒成分は６００未満のＧＷＰを有する。別の実施形態では、冷媒成分は５００未満のＧＷＰを有する。
【００４９】
成分（Ａ）（１）は、４００未満のＯＥＬを有する冷媒化合物から選択される。このような冷媒化合物はオレフィン系冷媒を含む。オレフィン系冷媒は、１，１，１，２，３−ペンタフルオロプロペン（ＨＦＯ−１２２５ｙｅ）および２，３，３，３−テトラフルオロプロペン（ＨＦＯ−１２３４ｙｆ）を含む。一実施形態では、成分（Ａ）（１）は、ＨＦＯ−１２３４ｙｆから本質的になる。
【００５０】
一実施形態では、本組成物の冷媒成分はＲ４１０Ａの代替品として使用するために適切であり、３〜２０質量パーセントのＨＦＯ−１２３４ｙｆと、７０．５〜７４．５質量パーセントのＨＦＣ−３２と、７．５〜約２４．５質量パーセントのトランス−ＨＦＯ−１２３４ｚｅとから本質的になる。別の実施形態では、本組成物の冷媒成分は、３〜８質量パーセント、３〜９質量パーセント、３〜１０質量パーセント、３〜１３質量パーセント、３〜１５質量パーセント、３〜１８質量パーセントのＨＦＯ−１２３４ｙｆを含有する、ＨＦＯ−１２３４ｙｆ、ＨＦＣ−３２、およびトランス−ＨＦＯ−１２３４ｚｅの混合物から本質的になる。また別の実施形態では、冷媒成分は、７１〜７４質量パーセント、７１〜７３質量パーセント、または７１〜７２質量パーセントのＨＦＣ−３２を含有する。そしてまた別の実施形態では、冷媒成分は、８〜２４質量パーセント、１０〜２４質量パーセント、１２〜２４質量パーセント、１４〜２４質量パーセント、または１８〜２４質量パーセントのトランス−ＨＦＯ−１２３４ｚｅを含有する。
【００５１】
一実施形態では、本組成物の冷媒成分はＲ４１０Ａの代替品として使用するために適切であり、３〜２０質量パーセントのＨＦＯ−１２３４ｙｆと、６８〜７４．５質量パーセントのＨＦＣ−３２と、７．５〜約２４．５質量パーセントのトランス−ＨＦＯ−１２３４ｚｅとから本質的になる。
【００５２】
一実施形態では、本組成物の冷媒成分は、３〜１２質量パーセントのＨＦＯ−１２３４ｙｆと、７０．５〜７４．５質量パーセントのＨＦＣ−３２と、１５．５〜２４．５質量パーセントのトランス−ＨＦＯ−１２３４ｚｅとから本質的になる。
【００５３】
一実施形態では、本組成物の冷媒成分は、３〜７質量パーセントのＨＦＯ−１２３４ｙｆと、７０．５〜７４．５質量パーセントのＨＦＣ−３２と、２０．５〜２４．５質量パーセントのトランス−ＨＦＯ−１２３４ｚｅとから本質的になる。
【００５４】
図１は、特許請求される組成物の範囲の一実施形態である、３〜１２質量パーセントのＨＦＯ−１２３４ｙｆ、７０．５〜７４．５質量パーセントのＨＦＣ−３２、および１５．５〜２４．５質量パーセントのトランス−ＨＦＯ−１２３４ｚｅが、既に開示されている組成物を組み込まないことを示す。図１の点により示される組成物は、
Ａ  ４０ｗｔ％のＨＦＯ１２３４ｙｆ、４０ｗｔ％のＨＦＣ−３２、および２０ｗｔ％のトランス−ＨＦＯ−１２３４ｚｅと、
Ｂ  ３０ｗｔ％のＨＦＯ１２３４ｙｆ、４０ｗｔ％のＨＦＣ−３２、および３０ｗｔ％のトランス−ＨＦＯ−１２３４ｚｅと、
Ｃ  ２０ｗｔ％のＨＦＯ１２３４ｙｆ、４０ｗｔ％のＨＦＣ−３２、および４０ｗｔ％のトランス−ＨＦＯ−１２３４ｚｅと、
Ｄ  ２８ｗｔ％のＨＦＯ１２３４ｙｆ、７０ｗｔ％のＨＦＣ−３２、および２ｗｔ％のトランス−ＨＦＯ−１２３４ｚｅと、
Ｅ  ２３ｗｔ％のＨＦＯ１２３４ｙｆ、７５ｗｔ％のＨＦＣ−３２、および２ｗｔ％のトランス−ＨＦＯ−１２３４ｚｅと、
Ｆ  ２０ｗｔ％のＨＦＯ１２３４ｙｆ、７０ｗｔ％のＨＦＣ−３２、および１０ｗｔ％のトランス−ＨＦＯ−１２３４ｚｅと、
Ｇ  １５ｗｔ％のＨＦＯ１２３４ｙｆ、７５ｗｔ％のＨＦＣ−３２、および１０ｗｔ％のトランス−ＨＦＯ−１２３４ｚｅとである。
【００５５】
Ａ〜Ｇの組成物は全て、本明細書において特許請求される範囲の外にある。さらに、組成物Ａ〜Ｇは、４００未満のＯＥＬを有する組成物もたらす（ＨＦＯ−１２３４ｙｆが１００以下に設定される場合に）ようにして分画することが分かっている。従って、ＨＦＯ−１２３４ｙｆのＯＥＬが１００以下に設定されるならば、組成物Ａ〜ＧはＡＳＨＲＡＥにより（ＡＳＨＲＡＥ標準３４−２０１０に従って）Ｂクラス冷媒（より高い毒性）として分類されるであろう。
【００５６】
ＨＦＯ−１２３４ｙｆ、ＨＦＣ−３２およびトランス−ＨＦＯ−１２３４ｚｅを含有する本発明の組成物は、４００ｐｐｍを超えるＯＥＬを有し、ＡＳＨＲＡＥ標準３４−２０１０に従ってＡクラスのより低毒性を示す公称組成物およびＷＣＦＦ組成物を提供する。さらに、これらの組成物は１０ｃｍ／秒未満の燃焼速度を有し、ＡＳＨＲＡＥ標準３４−２０１０に従って２Ｌのより低引火性の分類が確立される。
【００５７】
一実施形態では、成分（Ａ）（１）は、約２００以下のＯＥＬを有する冷媒から選択される。このような冷媒は、ＨＦＯ−１２２５ｙｅおよびＨＦＯ−１２３４ｙｆを含み得る。別の実施形態では、成分（Ａ）（１）は、約１００以下のＯＥＬを有する冷媒から選択される。このような冷媒は、ＨＦＯ−１２２５ｙｅおよびＨＦＯ−１２３４ｙｆを含み得る。
【００５８】
ＨＦＯ−１２３４ｙｆおよびＨＦＯ−１２３４ｙｆを含有する混合物は、比較的高いＧＷＰを有する特定の冷媒および冷媒混合物に対する低ＧＷＰ代替品であると考えられている。特に、Ｒ−４１０Ａ（５０ｗｔ％のＨＦＣ−１２５および５０ｗｔ％のＨＦＣ−３２を含有する混合物に対するＡＳＨＲＡＥ名称）は２０８８のＧＷＰを有し、代替品を必要とするであろう。
【００５９】
いくつかの実施形態では、テトラフルオロプロペンおよびジフルオロメタンに加えて、開示される組成物は任意選択の非冷媒成分を含み得る。
【００６０】
いくつかの実施形態では、本明細書に開示される組成物中の任意選択の非冷媒成分（本明細書では添加剤とも呼ばれる）は、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、ならびにこれらの混合物からなる群から選択される１つまたは複数の成分を含むことができる。実際には、これらの任意選択の非冷媒成分の多くはこれらのカテゴリーの１つまたは複数に当てはまり、１つまたは複数の性能特性を達成するために役立つ性質を有し得る。
【００６１】
いくつかの実施形態では、１つまたは複数の非冷媒成分は、組成物全体に対して少量で存在する。いくつかの実施形態では、開示される組成物中の添加剤濃度の量は、全組成物の約０．１質量パーセント未満から約５質量パーセントまでである。本発明のいくつかの実施形態では、添加剤は、全組成物の約０．１質量パーセント〜約５質量パーセントの間の量、または約０．１質量パーセント〜約３．５質量パーセントの間の量で開示される組成物中に存在する。開示される組成物のために選択される添加剤成分は、実用性および／または個々の装置の部品またはシステム要求に基づいて選択される。
【００６２】
いくつかの実施形態では、潤滑油は、鉱油潤滑剤である。いくつかの実施形態では、鉱油潤滑剤は、パラフィン（線状炭素鎖飽和炭化水素、分枝炭素鎖飽和炭化水素、およびこれらの混合物を含む）、ナフテン（飽和環状および環構造を含む）、芳香族化合物（１つまたは複数の環を含有する不飽和炭化水素を有するものであり、ここで、１つまたは複数の環は交互の炭素−炭素二重結合を特徴とする）、および非炭化水素（硫黄、窒素、酸素およびこれらの混合物などの原子を含有する分子）、ならびにこれらの混合物および組み合わせからなる群から選択される。
【００６３】
いくつかの実施形態は、１つまたは複数の合成潤滑剤を含有することができる。いくつかの実施形態では、合成潤滑剤は、アルキル置換芳香族化合物（線状アルキル基、分枝状アルキル基、または線状および分枝状アルキル基の混合物によって置換されたベンゼンまたはナフタレンなどであり、一般的にアルキルベンゼンと称されることが多い）、合成パラフィンおよびナフテン、ポリ（αオレフィン）、ポリグリコール（ポリアルキレングリコールを含む）、二塩基酸エステル、ポリエステル、ポリオールエステル、ネオペンチルエステル、ポリビニルエーテル（ＰＶＥ）、ペルフルオロポリエーテル（ＰＦＰＥ）シリコーン、ケイ酸エステル、フッ素化化合物、リン酸エステル、ポリカーボネートならびにこれらの混合物（この段落で開示される潤滑剤のいずれかの混合物を意味する）からなる群から選択される。
【００６４】
本明細書に開示される潤滑剤は、市販の潤滑剤であってもよい。例えば、潤滑剤は、ＢＶＭ  １００  ＮとしてＢＶＡ  Ｏｉｌｓによって販売されるパラフィン系鉱油、Ｓｕｎｉｓｏ（登録商標）１ＧＳ、Ｓｕｎｉｓｏ（登録商標）３ＧＳおよびＳｕｎｉｓｏ（登録商標）５ＧＳという商標でＣｒｏｍｐｔｏｎ  Ｃｏ．によって販売されるナフテン系鉱油、Ｓｏｎｔｅｘ（登録商標）３７２ＬＴという商標でＰｅｎｎｚｏｉｌによって販売されるナフテン系鉱油、Ｃａｌｕｍｅｔ（登録商標）ＲＯ−３０という商標でＣａｌｕｍｅｔ  Ｌｕｂｒｉｃａｎｔｓによって販売されるナフテン系鉱油、Ｚｅｒｏｌ（登録商標）７５、Ｚｅｒｏｌ（登録商標）１５０およびＺｅｒｏｌ（登録商標）５００という商標でＳｈｒｉｅｖｅ  Ｃｈｅｍｉｃａｌｓによって販売される線状アルキルベンゼン；およびＨＡＢ  ２２としてＮｉｐｐｏｎ  Ｏｉｌによって販売される分枝状アルキルベンゼン；Ｃａｓｔｒｏｌ（登録商標）１００という商標でＣａｓｔｒｏｌ，Ｕｎｉｔｅｄ  Ｋｉｎｇｄｏｍよって販売されるポリオールエステル（ＰＯＥ）；Ｄｏｗ（Ｄｏｗ  Ｃｈｅｍｉｃａｌ、Ｍｉｄｌａｎｄ，Ｍｉｃｈｉｇａｎ）からのＲＬ−４８８Ａなどのポリアルキレングリコール（ＰＡＧ）；ならびにこれらの混合物（この段落で開示される潤滑剤のいずれかの混合物を意味する）であり得る。
【００６５】
本発明と共に使用される潤滑剤は、ハイドロフルオロカーボン冷媒と共に使用するために設計され、圧縮冷凍および空調装置の運転条件下で本明細書に開示される組成物と混和性であり得る。いくつかの実施形態では、潤滑剤は、所与の圧縮器の要求と、潤滑剤がさらされ得る環境とを考慮することによって選択される。
【００６６】
潤滑剤を含む本発明の組成物では、潤滑剤は、全組成物の５．０質量パーセント未満の量で存在する。その他の実施形態では、潤滑剤の量は、全組成物の約０．１〜３．５質量パーセントの間である。
【００６７】
本明細書に開示される組成物についての上記の質量比にかかわらず、いくつかの伝熱システムでは、組成物は使用中にこのような伝熱システムの１つまたは複数の装置部品から付加的な潤滑剤を獲得し得ることが理解される。例えば、いくつかの冷凍、空調およびヒートポンプシステムでは、潤滑剤は圧縮器および／または圧縮器潤滑剤だめに充填され得る。このような潤滑剤はこのようなシステムの冷媒中に存在する任意の潤滑剤添加剤に付加的なものであり得る。使用中、冷媒組成物は圧縮器内にあるときに、ある量の装置潤滑剤を取り込み、冷媒−潤滑剤組成を出発の比率から変化させ得る。
【００６８】
このような伝熱システムでは、潤滑剤の大部分がシステムの圧縮器部分に存在する場合でも、システム全体は、組成物の約７５質量パーセントもの量からわずか約１．０質量パーセントまでが潤滑剤である全組成物を含有し得る。いくつかのシステム（例えばスーパーマーケットの冷凍陳列ケース）において、システムは約３質量パーセントの潤滑剤（システムの充填前に冷媒組成物中に存在するあらゆる潤滑剤のほかに）および９７質量パーセントの冷媒を含有し得る。
【００６９】
本発明の組成物と共に使用される非冷媒成分は、少なくとも１つの色素を含むことができる。色素は、少なくとも１つの紫外線（ＵＶ）色素であり得る。ＵＶ色素は、蛍光色素であってもよい。蛍光色素は、ナフタルイミド、ペリレン、クマリン、アントラセン、フェナントラセン、キサンテン、チオキサンテン、ナフトキサンテン、フルオレセイン、および前記色素の誘導体、ならびにこれらの組み合わせ（この段落で開示される上記の色素またはその誘導体のいずれかの混合物を意味する）からなる群から選択することができる。
【００７０】
いくつかの実施形態では、開示される組成物は、約０．００１質量パーセント〜約１．０質量パーセントのＵＶ色素を含有する。その他の実施形態では、ＵＶ色素は全組成物の約０．００５質量パーセント〜約０．５質量パーセントの量で存在し、他の実施形態では、ＵＶ色素は全組成物の０．０１質量パーセント〜約０．２５質量パーセントの量で存在する。
【００７１】
ＵＶ色素は、装置（例えば、冷凍ユニット、空調装置またはヒートポンプ）内の漏出点において、またはその近くで色素の蛍光を観察できるようにすることによって、組成物の漏れを検出するために有用な成分である。色素からのＵＶ発光、例えば蛍光は、紫外光の下で観察することができる。従って、このようなＵＶ色素を含有する組成物が装置の所与の点から漏出していれば、漏出点または漏出点の近くで蛍光を検出することができる。
【００７２】
本発明の組成物と共に使用可能な他の非冷媒成分は、開示される組成物中の１つまたは複数の色素の溶解度を改善するように選択された少なくとも１つの可溶化剤を含むことができる。いくつかの実施形態では、色素対可溶化剤の質量比は、約９９：１〜約１：１の範囲である。可溶化剤には、炭化水素、炭化水素エーテル、ポリオキシアルキレングリコールエーテル（ジプロピレングリコールジメチルエーテルなど）、アミド、ニトリル、ケトン、クロロカーボン（塩化メチレン、トリクロロエチレン、クロロホルム、またはこれらの混合物など）、エステル、ラクトン、芳香族エーテル、フルオロエーテルおよび１，１，１−トリフルオロアルカン、ならびにこれらの混合物（この段落で開示される可溶化剤のいずれかの混合物を意味する）からなる群から選択される少なくとも１つの化合物が含まれる。
【００７３】
いくつかの実施形態では、非冷媒成分は、１つまたは複数の潤滑剤と、開示される組成物との相溶性を改善するために少なくとも１つの相溶化剤を含む。相溶化剤は、炭化水素、炭化水素エーテル、ポリオキシアルキレングリコールエーテル（ジプロピレングリコールジメチルエーテルなど）、アミド、ニトリル、ケトン、クロロカーボン（塩化メチレン、トリクロロエチレン、クロロホルム、またはこれらの混合物など）、エステル、ラクトン、芳香族エーテル、フルオロエーテル、１，１，１−トリフルオロアルカン、およびこれらの混合物（この段落で開示される相溶化剤のいずれかの混合物を意味する）からなる群から選択され得る。
【００７４】
可溶化剤および／または相溶化剤は、ジメチルエーテル（ＤＭＥ）などの炭素、水素および酸素のみを含有するエーテルからなる炭化水素エーテル、およびこれらの混合物（この段落で開示される炭化水素エーテルのいずれかの混合物を意味する）からなる群から選択され得る。
【００７５】
相溶化剤は、６〜１５個の炭素原子を含有する線状または環状の脂肪族または芳香族炭化水素相溶化剤であり得る。相溶化剤は、少なくとも、特にヘキサン、オクタン、ノナン、およびデカンからなる群から選択され得る少なくとも１つの炭化水素であり得る。市販の炭化水素相溶化剤としては、Ｉｓｏｐａｒ（登録商標）Ｈ（ウンデカン（Ｃ１１）およびドデカン（Ｃ１２）の混合物）（高純度Ｃ１１〜Ｃ１２イソパラフィン系）、Ａｒｏｍａｔｉｃ  １５０（Ｃ９〜Ｃ１１芳香族）（、Ａｒｏｍａｔｉｃ  ２００（Ｃ９〜Ｃ１５芳香族）、およびＮａｐｔｈａ  １４０（Ｃ５〜Ｃ１１パラフィン、ナフテンおよび芳香族炭化水素の混合物）という商標でＥｘｘｏｎ  Ｃｈｅｍｉｃａｌ（ＵＳＡ）から販売されているもの、ならびにこれらの混合物（この段落で開示される炭化水素のいずれかの混合物を意味する）が挙げられるが、これらに限定されない。
【００７６】
あるいは、相溶化剤は、少なくとも１つの高分子相溶化剤であり得る。高分子相溶化剤は、フッ素化および非フッ素化アクリレートのランダムコポリマーであってもよく、ここでポリマーは、式ＣＨ２＝Ｃ（Ｒ１）ＣＯ２Ｒ２、ＣＨ２＝Ｃ（Ｒ３）Ｃ６Ｈ４Ｒ４、およびＣＨ２＝Ｃ（Ｒ５）Ｃ６Ｈ４ＸＲ６（式中、Ｘは酸素または硫黄であり、Ｒ１、Ｒ３、およびＲ５は独立してＨおよびＣ１〜Ｃ４アルキルラジカルからなる群から選択され、そしてＲ２、Ｒ４、およびＲ６は独立してＣおよびＦを含有する炭素鎖ベースのラジカルからなる群から選択される）で表される少なくとも１つのモノマーの繰り返し単位を含み、さらに、Ｈ、Ｃｌ、エーテル酸素、またはチオエーテル、スルホキシド、もしくはスルホン基の形態の硫黄およびこれらの混合物を含有し得る。このような高分子相溶化剤の例としては、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ，１９８９８，ＵＳＡ）からＺｏｎｙｌ（登録商標）ＰＨＳという商標で市販されているものが挙げられる。Ｚｏｎｙｌ（登録商標）ＰＨＳは、４０質量パーセントのＣＨ２＝Ｃ（ＣＨ３）ＣＯ２ＣＨ２ＣＨ２（ＣＦ２ＣＦ２）ｍＦ（Ｚｏｎｙｌ（登録商標）フルオロメタクリレートまたはＺＦＭとも呼ばれる）（式中、ｍは１〜１２、主に２〜８である）と、６０質量パーセントのラウリルメタクリレート（ＣＨ２＝Ｃ（ＣＨ３）ＣＯ２（ＣＨ２）１１ＣＨ３、ＬＭＡとも呼ばれる）との重合によって製造されるランダムコポリマーである。
【００７７】
いくつかの実施形態では、相溶化剤成分は、潤滑剤の金属への接着を低減するような方法で、熱交換器内に見出される金属の銅、アルミニウム、鋼、または他の金属およびこれらの金属合金の表面エネルギーを低下させる添加剤を約０．０１〜３０質量パーセント（相溶化剤の全量を基準として）含有する。金属表面エネルギー低下添加剤の例としては、ＤｕＰｏｎｔから商標Ｚｏｎｙｌ（登録商標）ＦＳＡ、Ｚｏｎｙｌ（登録商標）ＦＳＰ、およびＺｏｎｙｌ（登録商標）ＦＳＪで市販されているものが挙げられる。
【００７８】
本発明の組成物と共に使用され得る他の非冷媒成分は、金属表面不活性化剤であり得る。金属表面不活性化剤は、アレオキサリル（ａｒｅｏｘａｌｙｌ）ビス（ベンジリデン）ヒドラジド（ＣＡＳ登録番号６６２９−１０−３）、Ｎ，Ｎ’−ビス（３，５−ジ−ｔｅｒｔ−ブチル−４−ヒドロキシヒドロシンナモイルヒドラジン（ＣＡＳ登録番号３２６８７−７８−８）、２，２，’−オキサミドビス−エチル−（３，５−ジ−ｔｅｒｔ−ブチル−４−ヒドロキシヒドロシンナメート（ＣＡＳ登録番号７０３３１−９４−１）、Ｎ，Ｎ’−（ジサリシクリデン（ｄｉｓａｌｉｃｙｃｌｉｄｅｎｅ））−１，２−ジアミノプロパン（ＣＡＳ登録番号９４−９１−７）、ならびにエチレンジアミン四酢酸（ＣＡＳ登録番号６０−００−４）およびその塩、そしてこれらの混合物（この段落で開示される金属表面不活性化剤のいずれかの混合物を意味する）からなる群から選択される。
【００７９】
あるいは、本発明の組成物と共に使用される非冷媒成分は、ヒンダードフェノール、チオホスフェート、ブチル化トリフェニルホスホロチオネート、オルガノホスフェート、またはホスファイト、アリールアルキルエーテル、テルペン、テルペノイド、エポキシド、フッ素化エポキシド、オキセタン、アスコルビン酸、チオール、ラクトン、チオエーテル、アミン、ニトロメタン、アルキルシラン、ベンゾフェノン誘導体、アリールスルフィド、ジビニルテレフタル酸、ジフェニルテレフタル酸、イオン性液体、およびこれらの混合物、（この段落で開示される安定剤のいずれかの混合物を意味する）からなる群から選択される安定剤であり得る。
【００８０】
安定剤は、トコフェロール、ヒドロキノン、ｔ−ブチルヒドロキノン、モノチオホスフェートおよびジチオホスフェート（Ｃｉｂａ  Ｓｐｅｃｉａｌｔｙ  Ｃｈｅｍｉｃａｌｓ，Ｂａｓｅｌ，Ｓｗｉｔｚｅｒｌａｎｄ（以下、「Ｃｉｂａ」）から商標Ｉｒｇａｌｕｂｅ（登録商標）６３で市販）、ジアルキルチオリン酸エステル（Ｃｉｂａからそれぞれ商標Ｉｒｇａｌｕｂｅ（登録商標）３５３およびＩｒｇａｌｕｂｅ（登録商標）３５０で市販）、ブチル化トリフェニルホスホロチオネート、（Ｃｉｂａから商標Ｉｒｇａｌｕｂｅ（登録商標）２３２で市販）、アミンホスフェート（Ｃｉｂａから商標Ｉｒｇａｌｕｂｅ（登録商標）３４９（Ｃｉｂａ）で市販）、ヒンダードホスファイト（ＣｉｂａからＩｒｇａｆｏｓ（登録商標）１６８で市販）およびトリス−（ジ−ｔｅｒｔ−ブチルフェニル）ホスファイト（Ｃｉｂａから商標Ｉｒｇａｆｏｓ（登録商標）ＯＰＨで市販）、（Ｄｉ−ｎ−オクチルホスファイト）およびイソデシルジフェニルホスファイト（Ｃｉｂａから商標Ｉｒｇａｆｏｓ（登録商標）ＤＤＰＰで市販）、トリアルキルホスフェート（トリメチルホスフェート、トリエチルホスフェート、トリブチルホスフェート、トリオクチルホスフェート、およびトリ（２−エチルヘキシル）ホスフェートなど）、トリアリールホスフェート（トリフェニルホスフェート、トリクレシルホスフェート、およびトリキシレニルホスフェートを含む）、および混合アルキル−アリールホスフェート（イソプロピルフェニルホスフェート（ＩＰＰＰ）、およびビス（ｔ−ブチルフェニル）フェニルホスフェート（ＴＢＰＰ）を含む）、ブチル化トリフェニルホスフェート（Ｓｙｎ−Ｏ−Ａｄ（登録商標）８７８４をはじめとする商標Ｓｙｎ−Ｏ−Ａｄ（登録商標）で市販されているものなど）、ｔｅｒｔ−ブチル化トリフェニルホスフェート（商標Ｄｕｒａｄ（登録商標）６２０で市販されているものなど）、イソプロピル化トリフェニルホスフェート（商標Ｄｕｒａｄ（登録商標）２２０およびＤｕｒａｄ（登録商標）１１０で市販されているものなど）、アニソール、１，４−ジメトキシベンゼン、１，４−ジエトキシベンゼン、１，３，５−トリメトキシベンゼン、ミルセン、アロオシメン、リモネン（特に、ｄ−リモネン）、レチナール、ピネン、メントール、ゲラニオール、ファルネソール、フィトール、ビタミンＡ、テルピネン、デルタ−３−カレン、テルピノレン、フェランドレン、フェンケン、ジペンテン、カラテノイド（ｃａｒａｔｅｎｏｉｄ）（リコペン、ベータカロテンなど）、およびキサントフィル（ゼアキサンチンなど）、レチノイド（ヘパキサンチンおよびイソトレチノインなど）、ボルナン、１，２−プロピレンオキシド、１，２−ブチレンオキシド、ｎ−ブチルグリシジルエーテル、トリフルオロメチルオキシラン、１，１−ビス（トリフルオロメチル）オキシラン、３−エチル−３−ヒドロキシメチル−オキセタン（ＯＸＴ−１０１（Ｔｏａｇｏｓｅｉ  Ｃｏ．，Ｌｔｄ）など）、３−エチル−３−（（フェノキシ）メチル）−オキセタン（ＯＸＴ−２１１（Ｔｏａｇｏｓｅｉ  Ｃｏ．，Ｌｔｄ）など）、３−エチル−３−（（２−エチル−ヘキシルオキシ）メチル）−オキセタン（ＯＸＴ−２���２（Ｔｏａｇｏｓｅｉ  Ｃｏ．，Ｌｔｄ）など）、アスコルビン酸、メタンチオール（メチルメルカプタン）、エタンチオール（エチルメルカプタン）、補酵素Ａ、ジメルカプトコハク酸（ＤＭＳＡ）、グレープフルーツメルカプタン（（Ｒ）−２−（４−メチルシクロヘキサ−３−エニル）プロパン−２−チオール））、システイン（（Ｒ）−２−アミノ−３−スルファニル−プロパン酸）、リポアミド（１，２−ジチオラン−３−ペンタンアミド）、５，７−ビス（１，１−ジメチルエチル）−３−［２，３（または３，４）−ジメチルフェニル］−２（３Ｈ）−ベンゾフラノン（Ｃｉｂａから商標Ｉｒｇａｎｏｘ（登録商標）ＨＰ−１３６で市販）、ベンジルフェニルスルフィド、ジフェニルスルフィド、ジイソプロピルアミン、ジオクタデシル３，３’−チオジプロピオネート（Ｃｉｂａから商標Ｉｒｇａｎｏｘ（登録商標）ＰＳ８０２（Ｃｉｂａ）で市販）、ジドデシル３，３’−チオプロピオネート（Ｃｉｂａから商標Ｉｒｇａｎｏｘ（登録商標）ＰＳ８００で市販）、ジ−（２，２，６，６−テトラメチル−４−ピペリジル）セバケート（Ｃｉｂａから商標Ｔｉｎｕｖｉｎ（登録商標）７７０で市販）、ポリ−（Ｎ−ヒドロキシエチル−２，２，６，６−テトラメチル−４−ヒドロキシ−ピペリジルスクシネート（Ｃｉｂａから商標Ｔｉｎｕｖｉｎ（登録商標）６２２ＬＤ（Ｃｉｂａ）で市販）、メチルビスタローアミン、ビスタローアミン、フェノール−アルファ−ナフチルアミン、ビス（ジメチルアミノ）メチルシラン（ＤＭＡＭＳ）、トリス（トリメチルシリル）シラン（ＴＴＭＳＳ）、ビニルトリエトキシシラン、ビニルトリメトキシシラン、２，５−ジフルオロベンゾフェノン、２’，５’−ジヒドロキシアセトフェノン、２−アミノベンゾフェノン、２−クロロベンゾフェノン、ベンジルフェニルスルフィド、ジフェニルスルフィド、ジベンジルスルフィド、イオン性液体、ならびにこれらの混合物および組み合わせからなる群から選択され得る。
【００８１】
あるいは、本発明の組成物と共に使用される添加剤は、イオン性液体安定剤であり得る。イオン性液体安定剤は、ピリジニウム、ピリダジニウム、ピリミジニウム、ピラジニウム、イミダゾリウム、ピラゾリウム、チアゾリウム、オキサゾリウムおよびトリアゾリウム、ならびにこれらの混合物からなる群から選択されるカチオンと、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、およびＦ−、ならびにこれらの混合物からなる群から選択されるアニオンとを含有する塩である、室温（約２５℃）で液体の有機塩からなる群から選択することができる。いくつかの実施形態では、イオン性液体安定剤は、ｅｍｉｍ  ＢＦ４（１−エチル−３−メチルイミダゾリウムテトラフルオロボレート）、ｂｍｉｍ  ＢＦ４（１−ブチル−３−メチルイミダゾリウムテトラボレート）、ｅｍｉｍ  ＰＦ６（１−エチル−３−メチルイミダゾリウムヘキサフルオロホスフェート）、およびｂｍｉｍ  ＰＦ６（１−ブチル−３−メチルイミダゾリウムヘキサフルオロホスフェート）（これらは全てＦｌｕｋａ（Ｓｉｇｍａ−Ａｌｄｒｉｃｈ）から入手可能である）からなる群から選択される。
【００８２】
いくつかの実施形態では、安定剤はヒンダードフェノールであってもよく、これは、１つまたは複数の置換または環状、直鎖、または分枝状の脂肪族置換基を含むフェノールを含む任意の置換フェノール化合物であり、例えば、２，６−ジ−ｔｅｒｔ−ブチル−４−メチルフェノール、２，６−ジ−ｔｅｒｔ−ブチル−４−エチルフェノール、２，４−ジメチル−６−ｔｅｒｔブチルフェノール、トコフェロールなどを含むアルキル化モノフェノールと、ヒドロキノンおよびアルキル化ヒドロキノン（ｔ−ブチルヒドロキノンを含む）、ヒドロキノンのその他の誘導体などと、４，４’−チオ−ビス（２−メチル−６−ｔｅｒｔ−ブチルフェノール）、４，４’−チオビス（３−メチル−６−ｔｅｒｔブチルフェノール）、２，２’−チオビス（４メチル−６−ｔｅｒｔ−ブチルフェノール）などを含むヒドロキシル化チオジフェニルエーテルと、４，４’−メチレンビス（２，６−ジ−ｔｅｒｔ−ブチルフェノール）、４，４’−ビス（２，６−ジ−ｔｅｒｔ−ブチルフェノール）、２，２’−または４，４−ビフェノールジオールの誘導体、２，２’−メチレンビス（４−エチル−６−ｔｅｒｔブチルフェノール）、２，２’−メチレンビス（４−メチル−６−ｔｅｒｔブチルフェノール）、４，４−ブチリデンビス（３−メチル−６−ｔｅｒｔ−ブチルフェノール）、４，４−イソプロピリデンビス（２，６−ジ−ｔｅｒｔ−ブチルフェノール）、２，２’−メチレンビス（４−メチル−６−ノニルフェノール）、２，２’−イソブチリデンビス（４，６−ジメチルフェノール、２，２’−メチレンビス（４−メチル−６−シクロヘキシルフェノール、２，２−または４，４−ビフェニルジオール（２，２’−メチレンビス（４−エチル−６−ｔｅｒｔ−ブチルフェノール）を含む）、ブチル化ヒドロキシトルエン（ＢＨＴ、または２，６−ジ−ｔｅｒｔ−ブチル−４−メチルフェノール）、へテロ原子を含むビスフェノール（２，６−ジ−ｔｅｒｔ−アルファ−ジメチルアミノ−ｐ−クレゾール、４，４−チオビス（６−ｔｅｒｔ−ブチル−ｍ−クレゾール）を含む）などを含むアルキリデン−ビスフェノールと、アシルアミノフェノールと、２，６−ジ−ｔｅｒｔ−ブチル−４（Ｎ，Ｎ’−ジメチルアミノメチルフェノール）と、ビス（３−メチル−４−ヒドロキシ−５−ｔｅｒｔ−ブチルベンジル）スルフィド、ビス（３，５−ジ−ｔｅｒｔ−ブチル−４−ヒドロキシベンジル）スルフィドを含むスルフィドと、これらの混合物（この段落で開示されるフェノールのいずれかの混合物を意味する）などである。
【００８３】
あるいは、本発明の組成物と共に使用される非冷媒成分は、トレーサーであり得る。トレーサーは、同じ種類の化合物または異なる種類の化合物からの２つ以上のトレーサー化合物であってもよい。いくつかの実施形態では、トレーサーは、全組成物の質量を基準として約５０質量百万分率（ｐｐｍ）〜約１０００ｐｐｍの全濃度で組成物中に存在する。その他の実施形態では、トレーサーは、約５０ｐｐｍ〜約５００ｐｐｍの全濃度で存在する。あるいは、トレーサーは約１００ｐｐｍ〜約３００ｐｐｍの全濃度で存在する。
【００８４】
トレーサーは、ハイドロフルオロカーボン（ＨＦＣ）、重水素化ハイドロフルオロカーボン、ペルフルオロカーボン、フルオロエーテル、臭素化化合物、ヨウ素化化合物、アルコール、アルデヒドおよびケトン、亜酸化窒素およびこれらの組み合わせからなる群から選択され得る。あるいは、トレーサーは、フルオロエタン、１，１−ジフルオロエタン、１，１，１−トリフルオロエタン、１，１，１，３，３，３−ヘキサフルオロプロパン、１，１，１，２，３，３，３−ヘプタフルオロプロパン、１，１，１，３，３−ペンタフルオロプロパン、１，１，１，３，３−ペンタフルオロブタン、１，１，１，２，３，４，４，５，５，５−デカフルオロペンタン、１，１，１，２，２，３，４，５，５，６，６，７，７，７−トリデカフルオロヘプタン、ヨードトリフルオロメタン、重水素化炭化水素、重水素化ハイドロフルオロカーボン、ペルフルオロカーボン、フルオロエーテル、臭素化化合物、ヨウ素化化合物、アルコール、アルデヒド、ケトン、亜酸化窒素（Ｎ２Ｏ）およびこれらの混合物からなる群から選択され得る。いくつかの実施形態では、トレーサーは、２つ以上のハイドロフルオロカーボン、または１つもしくは複数のペルフルオロカーボンと組み合わせた１つのハイドロフルオロカーボンを含有するブレンドである。
【００８５】
トレーサーは、組成物の希釈、汚染またはその他の変更をどれも検出可能にするような所定の量で本発明の組成物に添加され得る。
【００８６】
本発明の組成物と共に使用され得る添加剤は、あるいは、参照によって本明細書中に援用される米国特許出願公開第２００７−０２８４５５５号明細書に詳細に記載されるようにペルフルオロポリエーテルであってもよい。
【００８７】
非冷媒成分に適していると上記で言及された添加剤の特定のものが、可能性のある冷媒であると確認されていることは認識されるであろう。しかしながら、本発明によると、これらの添加剤が使用される場合、これらは、本発明の冷媒混合物の新規のおよび基本的な特徴に影響を与え得る量では存在しない。好ましくは、冷媒混合物およびそれを含有する本発明の組成物は、ＨＦＯ−１２３４ｙｆ、ＨＦＣ−３２、およびトランス−ＨＦＯ−１２３４ｚｅ以外の冷媒を約０．５質量パーセント以下で含有する。
【００８８】
一実施形態では、本明細書に開示される組成物は、所望の量の個々の成分を混ぜ合わせるための任意の便利な方法によって調製することができる。好ましい方法は、所望の成分量を秤量し、その後適切な容器内で成分を混ぜ合わせることである。所望される場合には、攪拌が使用されてもよい。
【００８９】
本発明の組成物は、ゼロオゾン層破壊係数および低地球温暖化係数（ＧＷＰ）を有する。さらに、本発明の組成物は、現在使用されている多くのハイドロフルオロカーボン冷媒よりも小さい地球温暖化係数を有するであろう。本発明の一態様は、１０００未満、６００未満、５００未満、４００未満、３００未満、１５０未満、１００未満、または５０未満の地球温暖化係数を有する冷媒を提供することである。
【００９０】
使用の装置、方法およびプロセス
本明細書に開示される組成物は、伝熱組成物または冷媒として有用である。特に、ＨＦＯ−１２３４ｙｆ、ＨＦＣ−３２およびＨＦＯ−１２３４ｚｅを含む組成物は冷媒として有用である。また、ＨＦＯ−１２３４ｙｆ、ＨＦＣ−３２およびＨＦＯ−１２３４ｚｅを含む組成物は、空調システムおよびヒートポンプシステムにおいて、Ｒ４１０Ａの代替品として有用である。
【００９１】
蒸気−圧縮空調システムおよびヒートポンプシステムには、蒸発器、圧縮器、凝縮器、および膨張装置が含まれる。冷凍サイクルは冷媒を複数の段階で再使用し、１つの工程で冷却効果が生じ、そして異なる行程で加熱効果が生じる。サイクルは、以下のように簡単に説明することができる。液体冷媒は膨張装置を通って蒸発器に入り、そして液体冷媒は低温で環境から熱を回収することによって蒸発器内で沸騰してガスを形成し、冷却をもたらす。多くの場合、空気または伝熱流体は蒸発器を越えて、あるいは蒸発器の周りに流れ、蒸発器内で冷媒の蒸発によって生じる冷却効果を、冷却すべき本体へ伝達する。低圧ガスは圧縮器に入り、圧縮器においてガスが圧縮され、その圧力および温度が上昇される。より高圧の（圧縮された）ガス状の冷媒は次に凝縮器に入り、凝縮器において冷媒は凝縮し、その熱を環境に放出する。冷媒は膨張装置に戻り、膨張装置を通って、液体は凝縮器内のより高圧レベルから蒸発器内の低圧レベルへ膨張し、このようにしてサイクルが繰り返される。
【００９２】
約−５℃〜約２０℃の間の冷媒蒸発温度のために設計された蒸発器を含む空調およびヒートポンプ設備において、Ｒ４１０Ａを置換するための方法が提供される。本方法は、ＨＦＯ−１２３４ｙｆ、ＨＦＣ−３２およびトランス−ＨＦＯ−１２３４ｚｅからなる本発明の冷媒によって前記Ｒ４１０Ａを置換することを含む。
【００９３】
一実施形態では、Ｒ４１０Ａを冷媒として使用するのに適した空調またはヒートポンプ設備において冷却をもたらすための方法が提供される。本方法は、前記設備において、ＨＦＯ−１２３４ｙｆ、ＨＦＣ−３２およびトランス−ＨＦＯ−１２３４ｚｅからなる本発明の冷媒を冷媒として用いて冷却をもたらすことを含む。
【００９４】
一実施形態では、Ｒ４１０Ａを冷媒として使用するのに適したヒートポンプ設備において加熱をもたらすための方法が提供される。本方法は、前記設備において、ＨＦＯ−１２３４ｙｆ、ＨＦＣ−３２およびトランス−ＨＦＯ−１２３４ｚｅからなる本発明の冷媒を冷媒として用いて加熱をもたらすことを含む。
【００９５】
一実施形態では、冷媒組成物を含有し、冷媒組成物を使用するのに適した空調またはヒートポンプ装置であって、Ｒ４１０Ａが前記冷媒組成物の冷媒成分である装置が提供される。本装置は、ＨＦＯ−１２３４ｙｆ、ＨＦＣ−３２およびトランス−ＨＦＯ−１２３４ｚｅからなる本発明の冷媒組成物を含有することを特徴とする。
【００９６】
別の実施形態では、冷媒組成物を含有し、約−５℃〜約２０℃の間の冷媒蒸発温度のために設計された蒸発器を含む空調またはヒートポンプ装置が提供される。本装置は、ＨＦＯ−１２３４ｙｆ、ＨＦＣ−３２およびトランス−ＨＦＯ−１２３４ｚｅからなる本発明の冷媒組成物を含有することを特徴とする。
【００９７】
一実施形態では、ＨＦＯ−１２３４ｙｆ、ＨＦＣ−３２およびトランス−ＨＦＯ−１２３４ｚｅを含有する本明細書に開示される組成物の冷媒成分を凝縮させ、その後、冷却すべき本体の近くで前記冷媒成分を蒸発させることを含む、冷却をもたらすための方法が本明細書において開示される。別の実施形態では、冷却は、Ｒ４１０Ａを冷媒として使用するのに適した空調またはヒートポンプ設備において行われる。
【００９８】
冷却すべき本体は、冷却を提供することが望ましい任意の空間、場所、物体または本体であると定義され得る。例としては、一戸建て住宅、タウンハウスまたは集合住宅（ｍｕｌｔｉｐｌｅ  ａｐａｒｔｍｅｎｔ  ｂｕｉｌｄｉｎｇ）、または公共建物などの空調または冷却を必要とする空間（解放または閉鎖）が挙げられる。
【００９９】
別の実施形態では、ＨＦＯ−１２３４ｙｆ、ＨＦＣ−３２およびトランス−ＨＦＯ−１２３４ｚｅを含有する本明細書に開示される組成物の冷媒成分を蒸発させ、その後、加熱すべき本体の近くで前記冷媒成分を凝縮させることを含む、加熱をもたらすための方法が本明細書において開示される。別の実施形態では、加熱は、Ｒ４１０Ａを冷媒として使用するのに適したヒートポンプ設備において行われる。
【０１００】
加熱すべき本体は、熱を提供することが望ましい任意の空間、場所、物体または本体であると定義され得る。例としては、一戸建て住宅、タウンハウスまたは集合住宅、または公共建物などの加熱を必要とする空間（解放または閉鎖）が挙げられる。
【０１０１】
近くとは、蒸発器を移動する空気が冷却または加熱すべき本体の中または周囲に移動し得るように、冷媒混合物を含有するシステムの蒸発器が、冷却または加熱すべき本体の内部か、あるいはそれに隣接して位置することを意味する。
【０１０２】
いくつかの実施形態では、本明細書に開示される冷媒混合物は、特に、内蔵型窓用空調装置、パッケージドターミナル型空調装置（ＰＴＡＣ）、ノンダクト型またはダクトフリー型のミニスリットまたはマルチスリット空調装置またはヒートポンプ、ダクト型住宅用および商業用システム、ならびにパッケージ型空調装置またはヒートポンプ、例えばルーフトップユニットなどを含む、空調およびヒートポンプ用途において有用であり得る。さらに、いくつかの実施形態では、開示される組成物は、水、グリコール、二酸化炭素、またはフッ素化炭化水素流体を含み得る二次伝熱流体の使用によって、冷却または加熱を遠隔地に提供する二次ループシステム内の一次冷媒として機能することができる。この場合、二次伝熱流体は蒸発器に隣接しており、遠隔の冷却または加熱すべき本体まで移動する前に冷却または加熱されるので、冷却または加熱すべき本体である。
【０１０３】
本明細書に開示される組成物は、Ｒ４１０Ａ（５０質量パーセントのＲ１２５および５０質量パーセントのＲ３２のブレンドに対するＡＳＨＲＡＥ名称）を含む現在使用されている冷媒に対する低ＧＷＰ（地球温暖化係数）代替品として有用であり得る。
【０１０４】
多くの場合、代替冷媒は、異なる冷媒のために設計された元の冷凍設備において使用可能であれば最も有用である。さらに、本明細書に開示される組成物は、Ｒ４１０Ａのために設計されたいくらかのシステム修正を有する設備において、Ｒ４１０Ａに対する代替品として有用であり得る。さらに、ＨＦＯ−１２３４ｙｆ、ＨＦＣ−３２およびトランス−ＨＦＯ−１２３４ｚｅを含む本明細書に開示される組成物は、ＨＦＯ−１２３４ｙｆ、ＨＦＣ−３２およびトランス−ＨＦＯ−１２３４ｚｅを含むこれらの新しい組成物のために特別に修正されるか、あるいは完全にこれらのために製造された設備において、Ｒ４１０Ａを置換するために有用であり得る。
【０１０５】
多くの用途において、開示される組成物のいくつかの実施形態は冷媒として有用であり、少なくとも代替品が探索されている冷媒に匹敵する冷却性能（冷却容量およびエネルギー効率を意味する）を提供する。
【０１０６】
別の実施形態では、Ｒ４１０Ａからなる群から選択される冷媒を置換するための方法が提供される。本方法は、本明細書に記載されるようなＨＦＯ−１２３４ｙｆ、ＨＦＣ−３２、およびトランス−ＨＦＯ−１２３４ｚｅを含む冷媒混合物を空調またはヒートポンプ装置に充填することを含む。一実施形態では、冷凍装置は、Ｒ４１０Ａと共に使用するのに適している。別の実施形態では、冷凍装置は、約−５℃〜約２０℃の範囲の蒸発温度を有するシステムを含む。注目すべきは、冷凍装置が約０℃〜約１０℃の範囲の蒸発温度を有するシステムを含む実施形態である。
【０１０７】
別の実施形態では、置換すべき冷媒および潤滑剤を含有する伝熱システムを再充填するための方法が提供されており、前記方法は、潤滑剤の大部分を前記システム内に保持しながら、置換すべき冷媒を伝熱システムから除去し、ＨＦＯ−１２３４ｙｆ、ＨＦＣ−３２およびトランス−ＨＦＯ−１２３４ｚｅを含有する本明細書に開示される組成物の１つを伝熱システムに導入することを含む。
【０１０８】
別の実施形態では、本明細書に開示される組成物を含む熱交換システムが提供されており、前記システムは、空調装置、ヒートポンプ、冷却装置、およびこれらの組み合わせを有するシステムからなる群から選択される。
【０１０９】
一実施形態では、本明細書に開示される組成物を含有する伝熱システムが提供される。別の実施形態では、本明細書に開示される組成物を含有する空調システムまたはヒートポンプ装置が開示される。別の実施形態では、本明細書に開示される組成物を含有する固定空調装置が開示される。特定の実施形態では、本発明の組成物を含有する固定ヒートポンプ装置が開示される。別の特定の実施形態では、本発明の組成物を含有する移動ヒートポンプ装置が開示される。装置には、通常、蒸発器、圧縮器、凝縮器、および膨張装置が含まれる。
【実施例】
【０１１０】
本明細書に開示される概念は、特許請求の範囲に記載される本発明の範囲を限定しない以下の実施例においてさらに説明されるであろう。
【０１１１】
実施例１
ＨＦＣ−３２／ＨＦＯ−１２３４ｙｆ／ＨＦＯ−１２３４ｚｅ組成物の蒸気漏出
本発明の組成物は、非引火性および少なくとも４００ｐｐｍの職業暴露限界（ＯＥＬ）の必要条件を満たし得るシナリオを評価するために、ＡＳＨＲＡＥ標準３４「冷媒の名称および安全性分類（Ｄｅｓｉｇｎａｔｉｏｎ  ａｎｄ  Ｓａｆｅｔｙ  Ｃｌａｓｓｉｆｉｃａｔｉｏｎ  ｏｆ  Ｒｅｆｒｉｇｅｒａｎｔｓ）」に記載されるような蒸気漏出条件下で評価される。これは、ＨＶＡＣ＆Ｒ産業により好まれるＡＳＨＲＡＥＡ１クラスの非引火性でより低い毒性の等級を可能にするであろう。この標準に従って、公称配合物が開発され、そして製造許容差が割り当てられる（商業的実施では精密な配合物は作られないので）。個々の成分の引火性およびＯＥＬに基づいて最も引火性かつ最も毒性であり得る配合物を表すように最悪ケースの配合物（Ｗｏｒｓｔ  Ｃａｓｅ  Ｆｏｒｍｕｌａｔｉｏｎ）（ＷＣＦ）が選択される。ＷＣＦに対する変化は、本発明の組成物の場合は標準に従ってＷＣＦの泡立ち点＋１０℃または−４０℃のいずれか高い温度である最悪条件における蒸気漏出に対して決定される。蒸気漏出条件は、配合物が大気圧に到達する（約８９〜９５％の漏出後）まで継続され、最悪ケースの分画配合物（Ｗｏｒｓｔ  Ｃａｓｅ  Ｆｒａｃｔｉｏｎａｔｅｄ  Ｆｏｒｍｕｌａｔｉｏｎ）（ＷＣＦＦ）が決定され、最も引火性または最も毒性であることが予想される残留液体または蒸気組成物が示される。ＯＥＬが４００ｐｐｍよりも高く、ＷＣＦＦが非引火性であることが予想される場合には、好ましい混合物であると考えられる。５０ｐｐｍ、１００ｐｐｍ、１５０ｐｐｍ、および２００ｐｐｍにおけるＨＦＯ−１２３４ｙｆに対して可能性のあるＯＥＬの範囲についての結果は以下の表１に示され、組成物はそれに応じてＡ１クラスの必要条件を満たすように調整される。
【０１１２】
【表１】
0006272865.tif 000002
【０１１３】
データによって、ＨＦＯ−１２３４ｙｆ、ＨＦＣ−３２およびトランス−ＨＦＯ−１２３４ｚｅを含有する本発明の組成物は、４００ｐｐｍを超えるＯＥＬを有し、ＡＳＨＲＡＥ標準３４−２０１０に従ってＡクラスのより低毒性を示す公称組成物およびＷＣＦＦ組成物を提供することが明らかにされた。また、組成物の各成分は１０ｃｍ／秒未満の燃焼速度を有するので、これらの組成物は１０ｃｍ／秒未満の燃焼速度も有するであろう。従って、これらの組成物は、ＡＳＨＲＡＥ標準により、２Ｌのより低引火性の分類として確立される。
【０１１４】
実施例２
ＨＦＣ−３２／ＨＦＯ−１２３４ｙｆ／ＨＦＯ−１２３４ｚｅ組成物の冷却性能
本発明の組成物の冷却性能が決定され、Ｒ−４０４Ａ、Ｒ−５０７Ａ、Ｒ−４０７Ｆ、およびＲ−４０７Ａと比較して表２に示される。圧縮器排出温度、ＣＯＰ（エネルギー効率）および冷却容量（ｃａｐ）は、以下の特定条件（空調に典型的である）に対する物理特性の測定値から計算される。
蒸発器温度        ４℃
凝縮器温度        ４０℃
過冷却量          ６°Ｋ
戻りガス温度      １８℃
圧縮器効率        ７０％
【０１１５】
冷却容量には過熱が含まれることに注目されたい。またＧＷＰは、有効な場合にはＩＰＣＣ  ＡＲ４値に基づいて計算した。
【０１１６】
【表２】
0006272865.tif 000003
【０１１７】
表２のデータによって、本発明の組成物は、Ｒ−４１０Ａに対する良好な代替品としての機能を果たし得ることが示される。これらの組成物は、Ｒ−４１０Ａの約４％以内の冷却容量と、改善されたエネルギー効率とを示す。また、圧縮器排出温度はＲ−３２に対して改善され、従って、圧縮器の寿命が改善される。本発明の組成物は、低減されたＧＷＰも有する。そのため、本発明の組成物は、Ｒ−４１０Ａに対する代替品としての特性の最良のバランスを提供する。
【０１１８】
実施例３
比較例：他のＨＦＣ−３２／ＨＦＯ−１２３４ｙｆ／ＨＦＯ−１２３４ｚｅ組成物の蒸気漏出
実施例１における上記の蒸気漏出条件下で、ＨＦＯ−１２３４ｙｆ、ＨＦＣ−３２、およびトランス−ＨＦＯ−１２３４ｚｅを含有する他の組成物が評価される。蒸気漏出条件は、配合物が大気圧に到達する（この例では、約６７〜９７％漏出後）まで継続され、最悪ケースの分画配合物（ＷＣＦＦ）が決定され、最も毒性であることが予想される残留液体または蒸気組成物が示される。ＷＣＦＦのＯＥＬが計算される。それが４００ｐｐｍよりも高ければ、組成物は、ＡＳＨＲＡＥによりＡクラスの毒性（より低毒性）の冷媒であると分類され得る。結果は、５０ｐｐｍおよび１００ｐｐｍにおけるＨＦＯ−１２３４ｙｆのＯＥＬについて、以下の表３に示される。
【０１１９】
【表３】
0006272865.tif 000004
【０１２０】
【表４】
0006272865.tif 000005
【０１２１】
データにより、組成物Ａ〜Ｇは、漏出中に４００未満のＯＥＬを有するＷＣＦＦ組成物をもたらすことが実証される。従って、これらの組成物は、ＡＳＨＲＡＥによりＢクラスのより高毒性の冷媒として分類され得る。
【０１２２】
選択される実施形態
実施形態Ａ１。（Ａ）（１）４００未満のＯＥＬを有する少なくとも１つの冷媒と、（２）（ｉ）ＨＦＣ−３２および（ｉｉ）トランス−ＨＦＯ−１２３４ｚｅから本質的になり、それぞれが４００を超えるＯＥＬを有する冷媒の組み合わせとから本質的になる冷媒成分、ならびに任意選択で（Ｂ）非冷媒成分からなる組成物であって、冷媒成分の成分（Ａ）（２）は、少なくとも４００である冷媒成分の総ＯＥＬを提供するのに十分な量で存在する。
【０１２３】
実施形態Ａ２。冷媒成分の最悪ケースの分画配合物が、少なくとも４００である総ＯＥＬを有する、実施形態Ａ１に従う組成物。
【０１２４】
実施形態Ａ３。冷媒成分が５００未満のＧＷＰを有する、実施形態Ａ１〜Ａ２のいずれかの組成物。
【０１２５】
実施形態Ａ４。成分（Ａ）（１）がオレフィン系冷媒から選択される、実施形態Ａ１〜Ａ３のいずれかの組成物。
【０１２６】
実施形態Ａ５。成分（Ａ）（１）がＨＦＯ−１２３４ｙｆから本質的になる、実施形態Ａ１〜Ａ４のいずれかの組成物。
【０１２７】
実施形態Ａ６。冷媒成分がＲ４１０Ａの代替品として使用するために適切であり、３〜１２質量パーセントのＨＦＯ−１２３４ｙｆと、７０．５〜７４．５質量パーセントのＨＦＣ−３２と、１５．５〜２４．５質量パーセントのトランス−ＨＦＯ−１２３４ｚｅとから本質的になる、Ａ１〜Ａ５のいずれかの組成物。
【０１２８】
実施形態Ａ７。冷媒成分がＲ４１０Ａの代替品として使用するために適切であり、３〜１２質量パーセントのＨＦＯ−１２３４ｙｆと、６８〜７４．５質量パーセントのＨＦＣ−３２と、１５．５〜２４．５質量パーセントのトランス−ＨＦＯ−１２３４ｚｅとから本質的になる、Ａ１〜Ａ５のいずれかの組成物。
【０１２９】
実施形態Ａ８。成分（Ａ）（１）が、約２００以下のＯＥＬを有する冷媒から選択される、実施形態Ａ１〜Ａ７のいずれかの組成物。
【０１３０】
実施形態Ａ９。成分（Ａ）（１）が、約１００以下のＯＥＬを有する冷媒から選択される、実施形態Ａ１〜Ａ７のいずれかの組成物。
【０１３１】
実施形態Ａ１０。成分（Ａ）（１）が、約５０以下のＯＥＬを有する冷媒から選択される、実施形態Ａ１〜Ａ７のいずれかの組成物。
【０１３２】
実施形態Ｂ１。約−５℃〜約２０℃の間の冷媒蒸発温度のために設計された蒸発器を含む空調またはヒートポンプ設備においてＲ４１０Ａを置換するための方法であり、前記Ｒ４１０Ａを、実施形態Ａ１〜Ａ１０のいずれかの組成物によって置換することを含む。
【０１３３】
実施形態Ｃ１。Ｒ４１０Ａを冷媒として使用するのに適した空調またはヒートポンプ設備において冷却をもたらすための方法であり、前記設備において、実施形態Ａ１〜Ａ１０のいずれかの組成物を冷媒として用いて冷却をもたらすことを含む。
【０１３４】
実施形態Ｄ１。Ｒ４１０Ａを冷媒として使用するのに適したヒートポンプ設備において加熱をもたらすための方法であり、前記設備において、実施形態Ａ１〜Ａ１０のいずれかの組成物を冷媒として用いて加熱をもたらすことを含む。
【０１３５】
実施形態Ｅ１。冷媒組成物を含有し、冷媒組成物を使用するのに適した空調またはヒートポンプ装置であり、Ｒ４１０Ａが前記冷媒組成物の冷媒成分であり、実施形態Ａ１〜Ａ１０のいずれかの冷媒組成物を含有することを特徴とする。
【０１３６】
実施形態Ｆ１。冷媒組成物を含有し、約−５℃〜約２０℃の間の冷媒蒸発温度のために設計された蒸発器を含む空調またはヒートポンプ装置であり、実施形態Ａ１〜Ａ１０のいずれかの冷媒組成物を含有することを特徴とする。
【０１３７】
実施形態Ｇ１。実施形態Ａ１〜Ａ１０のいずれかの組成物の冷媒成分を凝縮させ、その後、冷却すべき本体の近くで前記冷媒成分を蒸発させることを含む、冷却をもたらすための方法。
【０１３８】
実施形態Ｈ１。Ｒ４１０Ａを冷媒として使用するのに適したヒートポンプ設備において加熱をもたらすための方法であり、実施形態Ａ１〜Ａ１０のいずれかの組成物の冷媒成分を蒸発させ、その後、加熱すべき本体の近くで前記冷媒成分を凝縮させることを含む。
【０１３９】
実施形態Ｉ１。組成物が、同一冷却条件下でＲ４１０Ａによって提供される冷却容量の４％以内の冷却容量を提供する、実施形態Ａ１〜Ａ１０のいずれかの組成物。
【０１４０】
実施形態Ｊ１。達成される冷却または加熱容量が、Ｒ４１０Ａが組成物の冷媒成分として使用される場合の容量の４％以内である、実施形態Ｂ１、Ｃ１またはＤ１のいずれかの方法。
【０１４１】
実施形態Ｋ１。装置の冷却または加熱容量が、Ｒ４１０Ａが冷媒として使用される場合に達成される容量の４％以内である、実施形態Ｅ１またはＦ１のいずれかの空調またはヒートポンプ装置。
【０１４２】
実施形態Ｋ１。達成される冷却または加熱容量が、Ｒ４１０Ａが冷媒成分として使用される場合の容量の４％以内である、実施形態Ｇ１またはＨ１のいずれかの方法。
実施形態Ｌ１。実施形態Ａ１〜Ａ１０のいずれかの組成物の、Ｒ４１０Ａと共に使用するのに適した設備における冷媒として使用。
【０１４３】
以上、本発明を要約すると下記のとおりである。
１．（Ａ）（１）４００未満のＯＥＬを有する少なくとも１つの冷媒と、
（２）（ｉ）ＨＦＣ−３２、および
（ｉｉ）トランス−ＨＦＯ−１２３４ｚｅ
から本質的になり、それぞれが４００を超えるＯＥＬを有する冷媒の組み合わせとから本質的になる冷媒成分、
ならびに任意選択で
（Ｂ）非冷媒成分
からなる組成物であって、前記冷媒成分の成分（Ａ）（２）が、少なくとも４００である前記冷媒成分の総ＯＥＬを提供するのに十分な量で存在する組成物。
２．前記冷媒成分の最悪ケースの分画配合物が、少なくとも４００である総ＯＥＬを有する、上記１に記載の組成物。
３．前記冷媒成分が５００未満のＧＷＰを有する、上記１に記載の組成物。
４．前記成分（Ａ）（１）がオレフィン系冷媒から選択される、上記１に記載の組成物。５．前記成分（Ａ）（１）がＨＦＯ−１２３４ｙｆから本質的になる、上記４に記載の組成物。
６．前記冷媒成分がＲ４１０Ａの代替品として使用するために適切であり、
３〜１２質量パーセントのＨＦＯ−１２３４ｙｆと、
７０．５〜７４．５質量パーセントのＨＦＣ−３２と、
１５．５〜２４．５質量パーセントのトランス−ＨＦＯ−１２３４ｚｅと
から本質的になる、上記１に記載の組成物。
７．前記成分（Ａ）（１）が、約２００以下のＯＥＬを有する冷媒から選択される、上記１に記載の組成物。
８．前記成分（Ａ）（１）が、約１００以下のＯＥＬを有する冷媒から選択される、上記１に記載の組成物。
９．前記成分（Ａ）（１）が、約５０以下のＯＥＬを有する冷媒から選択される、上記１に記載の組成物。
１０．前記冷媒成分がＲ４１０Ａの代替品として使用するために適切であり、
３〜１２質量パーセントのＨＦＯ−１２３４ｙｆと、
６８〜７４．５質量パーセントのＨＦＣ−３２と、
１５．５〜２４．５質量パーセントのトランス−ＨＦＯ−１２３４ｚｅと
から本質的になる、上記１に記載の組成物。
１１．約−５℃〜約２０℃の間の冷媒蒸発温度のために設計された蒸発器を含む空調またはヒートポンプ設備において、Ｒ４１０Ａを置換するための方法であって、
前記Ｒ４１０Ａを上記６に記載の組成物によって置換することを含む方法。
１２．Ｒ４１０Ａを冷媒として使用するのに適した空調またはヒートポンプ設備において冷却をもたらすための方法であって、
前記設備において上記６に記載の組成物を冷媒として用いて冷却をもたらすことを含
む方法。
１３．Ｒ４１０Ａを冷媒として使用するのに適したヒートポンプ設備において加熱をもたらすための方法であって、
前記設備において上記６に記載の組成物を冷媒として用いて加熱をもたらすことを含む方法。
１４．冷媒組成物を含有し、冷媒組成物を使用するのに適した空調またはヒートポンプ装置であって、Ｒ４１０Ａが前記冷媒組成物の冷媒成分であり、上記６に記載の冷媒組成物を含有することを特徴とする装置。
１５．冷媒組成物を含有し、約−５℃〜約２０℃の間の冷媒蒸発温度のために設計された蒸発器を含む空調またはヒートポンプ装置であって、上記６に記載の冷媒組成物を含有することを特徴とする装置。
１６．約−５℃〜約２０℃の間の冷媒蒸発温度のために設計された蒸発器を含む空調またはヒートポンプ設備において、Ｒ４１０Ａを置換するための方法であって、
前記Ｒ４１０Ａを上記１０に記載の組成物によって置換することを含む方法。
１７．Ｒ４１０Ａを冷媒として使用するのに適した空調またはヒートポンプ設備において冷却をもたらすための方法であって、
前記設備において上記１０に記載の組成物を冷媒として用いて冷却をもたらすことを含む方法。
１８．Ｒ４１０Ａを冷媒として使用するのに適したヒートポンプ設備において加熱をもたらすための方法であって、
前記設備において上記１０に記載の組成物を冷媒として用いて加熱をもたらすことを含む方法。
１９．冷媒組成物を含有し、冷媒組成物を使用するのに適した空調またはヒートポンプ装置であって、Ｒ４１０Ａが前記冷媒組成物の冷媒成分であり、上記１０に記載の冷媒組成物を含有することを特徴とする装置。
２０．冷媒組成物を含有し、約−５℃〜約２０℃の間の冷媒蒸発温度のために設計された蒸発器を含む空調またはヒートポンプ装置であって、上記１０に記載の冷媒組成物を含有することを特徴とする装置。
【図１】
0006272865.tif 000006